(57)【要約】【課題】現在、ポプリは壊れやすいため香りのみの効果しかなく、またシリカゲルドライフラワーや押し花は湿気に弱く破れやすいため、保護することで香りがなくなり、観賞用としてのみ用いられるだけであった。【解決手段】カラースプレーと硬化液を使用することにより、持ち歩いても壊れたり、破れたりしない花を作り、布に香りの元となるポプリ、観賞用の花、花びらを縫いこむことが可能となった。よって、湿気のある日常生活の中で、壊れにくいポプリのアロマテラピー効果を美しい花の姿とともに提供する。【選択図】図１
2005329690.tif 000002
【特許請求の範囲】
【請求項１】
植物要素をシリカゲルとともに密封し、乾燥させる工程と、乾燥させた後、シリカゲルの入った容器から取り出す際に植物要素にカラースプレーを散布する工程と、水溶性アクリルニスを１．５倍に薄めたものを植物要素に塗り、温風で即座に乾燥させる工程と、植物要素の裏に布用ボンドを塗り、キルト芯に固定する工程と、キルト芯と透けて見える布とで、香りの元になる花びらの形状を保った加工植物要素と観賞用の加工植物要素を広げて挟みサンドイッチ状の布にする工程と、広げた加工植物要素に硬化液を散布する工程と、前記サンドイッチ状の布を花びらの形状を保った加工植物要素を固定するためミシンにかける工程と、再度布地の上から硬化液を散布する工程と、低温でアイロンがけをする工程と、からなることを特徴とするアロマテラピー用布の製造方法。
【請求項２】
植物要素をシリカゲルとともに密封し、乾燥させる工程と、乾燥させた後、シリカゲルの入った容器から取り出す際に植物要素にカラースプレーを散布する工程と、水溶性アクリルニスを１．５倍に薄めたものを植物要素に塗り、温風で即座に乾燥させる工程と、植物要素の裏に布用ボンドを塗り、キルト芯に固定する工程と、キルト芯と透けて見える布とで、香りの元になる花びらの形状を保った加工植物要素と観賞用の加工植物要素を広げて挟みサンドイッチ状の布にする工程と、広げた加工植物要素に硬化液を散布する工程と、前記サンドイッチ状の布を花びらの形状を保った加工植物要素を固定するためミシンにかける工程と、再度布地の上から硬化液を散布する工程と、低温でアイロンがけをする工程と、からなる製造法により製造されたことを特徴とするアロマテラピー用布。
【発明の詳細な説明】
【技術分野】
【０００１】  この発明は、アロマテラピー等の自然療法の効果に用いるポプリと観賞用の加工植物要素の形状に関する。ここで「ポプリ」とは香りの元になる加工植物要素のことを言う。
【背景技術】
【０００２】  従来、ポプリの形状は図２（Ａ）に示すように布２で覆う又は図２（Ｂ）に示すように容器６の中に入れる。従来、シリカゲルを使用し乾燥させた、観賞用の加工植物要素であるシリカゲルドライフラワーの形状は図２（Ｃ）に示すように蓋つきの容器７で保護する。従来、上から圧力をかけることにより、観賞用として加工した植物要素の押し花の形状は図２（Ｄ）に示すように台紙８に貼り付け、その上から透明フィルム９で保護する。従来、特殊加工を施した、観賞用の加工植物要素であるブリザードフラワーの形状は図２（Ｅ）に示すように、花の形状を保った観賞用の加工植物要素として使用されているものである。
【発明の開示】
【発明が解決しようとする課題】
【０００３】  しかしながら、以上の技術によれば、壊れやすいポプリは香りのみの効果、シリカゲルを使用し乾燥させた、観賞用の加工植物要素であるシリカゲルドライフラワーや上から圧力をかけることにより、観賞用として加工した植物要素の押し花は湿気に弱く破れやすいため、保護することで香りがなくなっていた。
そこで、この発明は、保護しなくても湿気に強く、日常生活の中で持ち歩いても破れたり壊れたりしない植物要素に、リラックスさせる効果のあるアロマテラピー効果を持たせることを課題とする。
【課題を解決するための手段】
【０００４】  以上の課題を解決するために、第一発明は、植物要素をシリカゲルとともに密封し、乾燥させる工程と、乾燥させた後、シリカゲルの入った容器から取り出す際に植物要素にニトロセルローズ、合成樹脂、顔料または染料、有機溶剤を含むカラースプレーを散布する工程と、つや消しの水溶性アクリルニスを１．５倍に薄めたものを植物要素に塗り、５０度から１２０度の温風で即座に乾燥させる工程と、植物要素の裏に天然ゴム、アンモニア、水からなる布用ボンドを塗り、キルト芯に固定する工程と、キルト芯と透けて見える布であるオーガンジーとで、香りの元になる花びらの形状を保った加工植物要素と観賞用の加工植物要素を広げて挟みサンドイッチ状の布にする工程と、広げた加工植物要素にアセトン５−１０パーセント、トルエン１０−１５パーセントを含む硬化液を散布する工程と、前記サンドイッチ状の布を花びらの形状を保った加工植物要素を固定するためミシンにかける工程と、再度布地の上から硬化液を散布する工程と、１２０度から１４０度の低温でアイロンがけをする工程と、からなることを特徴とするアロマテラピー用布の製造方法を用いたアロマテラピー用布である。
また、第二発明は、植物要素をシリカゲルとともに密封し、乾燥させる工程と、乾燥させた後、シリカゲルの入った容器から取り出す際に植物要素にニトロセルローズ、合成樹脂、顔料または染料、有機溶剤を含むカラースプレーを散布する工程と、つや消しの水溶性アクリルニスを１．５倍に薄めたものを植物要素に塗り、５０度から１２０度の温風で即座に乾燥させる工程と、植物要素の裏に天然ゴム、アンモニア、水からなる布用ボンドを塗り、キルト芯に固定する工程と、キルト芯と透けて見える布であるオーガンジーとで、香りの元になる花びらの形状を保った加工植物要素と観賞用の加工植物要素を広げて挟みサンドイッチ状の布にする工程と、広げた加工植物要素にアセトン５−１０パーセント、トルエン１０−１５パーセントを含む硬化液を散布する工程と、前記サンドイッチ状の布を花びらの形状を保った加工植物要素を固定するためミシンにかける工程と、再度布地の上から硬化液を散布する工程と、１２０度から１４０度の低温でアイロンがけをする工程と、からなる製造法により製造されたことを特徴とするアロマテラピー用布である。
【発明の効果】
【０００５】  第一発明、または第二発明によれば、壊れやすいため香りのみの効果を持っていたポプリや、湿気に弱く破れやすい観賞用の加工植物要素を保護なしに壊すことなく日常生活で持ち歩くことが可能となる。
【発明を実施するための最良の形態】
【０００６】  この発明の一実施形態を、図１（Ａ）、（Ｂ）、（Ｃ）に示す。
アロマテラピー用布は、キルト芯１を透けて見える布であるオーガンジー２で覆い、その中に香りの元になる花びらの形状を保った加工植物要素と観賞用の加工植物要素３を入れ、ミシンをかける。アセトン５−１０パーセント、トルエン１０−１５パーセントを含む硬化液４を布地に入れる前に一度、入れた後にもう一度、香りの元になる花びらの形状を保った加工植物要素と観賞用の加工植物要素３に吹きかけることでそれらを固定し、保護することが出来る。最後に１２０度から１４０度の低温でアイロンをかけ、アセトン５−１０パーセント、トルエン１０−１５パーセントを含む硬化液４を揮発させキルト芯１と、透けて見える布であるオーガンジー２と、香りの元になる花びらの形状を保った加工植物要素と観賞用の加工植物要素３を固定させる。ニトロセルローズ、合成樹脂、顔料または染料、有機溶剤を含むカラースプレー５は色落ちを防ぎ一日放置することで、柔軟性が出るので、形を壊さない。【０００７】「実施形態の効果」
この実施形態によれば、壊れやすいため香りのみの効果を持っていたポプリ３や湿気に弱く破れやすかった観賞用の加工植物要素３に、リラックスさせる効果のあるアロマテラピー効果を持たせ、保護なしに日常生活で持ち歩くことが可能となる。【０００８】「他の実施形態」
図１、２の実施形態では、一枚のアロマテラピー用布であったが、他の実施形態では、他の布と組み合わせて、パッチワークにしたものでも良い。
【図面の簡単な説明】
【０００９】
【図１】この発明の一実施形態を示す斜視図である。
【図２】従来技術を示す斜視図である。
【符号の説明】
【００１０】１  キルト芯            ２  透明感のある布
３  ポプリ、花、花びら  ４  硬化液
５  装飾用カラー塗料    ６  容器
７  蓋付き容器          ８  台紙
９  透明のフィルム
【図１】
2005329690.tif 000003
2005329690.tif 000004
2005329690.tif 000005
【図２】
2005329690.tif 000006
2005329690.tif 000007
2005329690.tif 000008
2005329690.tif 000009
2005329690.tif 000010
【手続補正書】
【提出日】平成16年9月10日(2004.9.10)
【手続補正１】
【補正対象書類名】図面
【補正対象項目名】全図
【補正方法】変更
【補正の内容】
【図１】
2005329690.tif 000011
【図２】
2005329690.tif 000012